(57)【要約】【課題】視る角度によって彩色が変化して見映えが変わり、装飾性の高い外観を提供することのできる計器用文字板を提供すること。【解決手段】基板２上に印刷された計器用の意匠面３の画素１０Ａを構成する複数のインク層１１，１２，１３は、紫外線硬化型インクのインク滴をＵＶ硬化型インクジェットプリンタの印刷ヘッドで基板２に着弾させるインク塗布工程と、基板２に着弾したインク滴が自重で平坦化する前にインク滴に紫外線を照射して硬化したインク層とするインク硬化工程と、を同一箇所で繰り返すことで形成され、意匠面３を正面からずれた位置から視ると、各画素１０Ａの積層している各インク層１１，１２，１３の発色を視認することができる計器用文字板。【選択図】図６
2015127696.tif 000002
【特許請求の範囲】
【請求項１】
基板と、該基板の上に印刷された計器用の意匠面と、を備え、
前記意匠面を形成するドット状の画素が複数のインク層を積層した多層構造であり、
前記各画素の前記複数のインク層は、紫外線硬化型インクのインク滴を紫外線硬化型インクジェットプリンタの印刷ヘッドで前記基板に着弾させるインク塗布工程と、前記基板に着弾した前記インク滴が自重で平坦化する前に前記インク滴に紫外線を照射して硬化したインク層とするインク硬化工程と、を同一箇所で繰り返すことで形成される計器用文字板であって、
前記基板は、不透明な材料で形成された板材であり、
前記各画素の前記複数のインク層は、それぞれ発色の異なる層で形成され、
前記各画素の最下層の前記インク層は、白色の発色を示すインク層であり、
前記各画素の中間層の前記インク層は、白色及び黒色以外の発色を示す着色インク層であり、
前記各画素の最上層の前記インク層は、黒色又は黒色系の発色を示す着色インク層であることを特徴とする計器用文字板。
【請求項２】
前記画素に隣接して配置される副画素を更に備え、
前記副画素は、最下層及び中間層の前記インク層が透明なインク層であり、最上層の前記インク層が前記画素の最上層の前記インク層と同色の発色を示す着色インク層である、ことを特徴とする請求項１に記載の計器用文字板。
【請求項３】
基板と、該基板の上に印刷された計器用の意匠面と、を備え、
前記意匠面を形成するドット状の画素が複数のインク層を積層した多層構造であり、
前記各画素の前記複数のインク層は、紫外線硬化型インクのインク滴を紫外線硬化型インクジェットプリンタの印刷ヘッドで前記基板に着弾させるインク塗布工程と、前記基板に着弾した前記インク滴が自重で平坦化する前に前記インク滴に紫外線を照射して硬化したインク層とするインク硬化工程と、を同一箇所で繰り返すことで形成される計器用文字板であって、
前記基板は、光を透過する材料で形成された板材であり、
前記各画素の前記複数のインク層は、それぞれ発色の異なる層で形成され、
前記各画素の最下層の前記インク層は、透明なインク層であり、
前記各画素の最上層の前記インク層は、黒色又は黒色系の発色を示す着色インク層であり、
前記各画素の中間層の前記インク層は、最上層の前記インク層とは異なる発色を示す着色インク層であり、
前記基板の裏面には、前記各画素の裏面に照明光を照射する光源が配置されている
ことを特徴とする計器用文字板。
【請求項４】
前記画素に隣接して配置される副画素を更に備え、
前記副画素は、最上層の前記インク層が前記画素の最上層の前記インク層と同色の発色を示す着色インク層であり、最上層以外の前記インク層が透明なインク層である、ことを特徴とする請求項３に記載の計器用文字板。
【発明の詳細な説明】
【技術分野】
【０００１】
本発明は、計器用文字板に関する。
【背景技術】
【０００２】
図１８〜図２０は、車両に搭載されるコンビネーションメータを示したものである。
このコンビネーションメータ１００は、１つの見返し板１１０の内側に、走行速度を示す速度計１２０、エンジン回転数を示す回転計１３０、燃料残量やギヤポジションや走行距離などの複数の情報を表示する液晶ディスプレイユニット１４０、走行距離をリセットするトリップノブ１５０、左折用のターンライトの点灯表示器１６０、右折用ターンライトの点灯表示器１７０、などを備えている。
【０００３】
速度計１２０や回転計１３０は、回転式のメータであり、中心に指針挿通穴１２１，１３１が空いた円板形の計器用文字板１２２，１３２と、指針挿通穴１２１，１３１を挿通する指針軸の先端に固定された指針１２４，１３４を備える。
【０００４】
また、コンビネーションメータ１００は、図１９に示すように、見返し板１１０の前方を覆う透明な表面カバー１８０と、見返し板１１０の裏側に配置された制御用回路基板１９０と、前記見返し板１１０の裏側に取り付けられて制御用回路基板１９０を収容する計器ケース２００と、を備えている。
【０００５】
制御用回路基板１９０は、計器用文字板１２２，１３２や指針１２４，１３４を照明する光源１９１や、指針１２４，１３４を回転駆動するモータ１９２を搭載している。
【０００６】
計器ケース２００は、制御用回路基板１９０の上を覆う裏カバー２０１が、着脱可能になっている。
【０００７】
速度計１２０や回転計１３０に装備される計器用文字板１２２，１３２は、円板形の基板３１０と、その表面に印刷された計器用の意匠面３２０と、を備えている。
【０００８】
計器用の意匠面３２０には、図２０に示すように、基板３１０の表面を覆う地色印刷３２１や、目盛り３２２や、数字やアルファベットなどの文字３２３や、図柄３２４などが該当する。
【０００９】
コンビネーションメータ１００を設計する際は、計器類の見映えが向上するように、計器用文字板１２２，１３２に施す計器用の意匠面３２０に工夫を凝らす。
図２１は下記特許文献１に開示された計器用文字板を示し、図２２は下記特許文献２に開示された計器用文字板を示している。
【００１０】
特許文献１の計器用文字板４００は、樹脂製の円板形の基板４１０と、該基板４１０の上に印刷された計器用の意匠面４２０と、を備えている。
【００１１】
図示例の意匠面４２０は、地色印刷３２１となるもので、基板４１０の表面を覆う白色のインク層４２１と、この白色のインク層４２１に積層される黒色又は黒色系の着色インク層４２２と、を備えている。
それぞれのインク層４２１，４２２は、いずれもスクリーン印刷により形成されている。
【００１２】
特許文献２の計器用文字板５００は、透明な樹脂製の円板形の基板５１０と、基板５１０の裏面に形成された第１の計器用の意匠面５２０と、基板５１０の表面に形成された第２の計器用の意匠面５３０と、を備えている。
【００１３】
第１の計器用の意匠面５２０は、基板５１０の裏面の全域に均一に印刷される着色インク層５２１を備えている。この着色インク層５２１は、計器用文字板５００の基本色となる彩色を担うもので、例えば、メタリック顔料や金属微粒子を含む着色インクを塗布乾燥させることで形成される。
【００１４】
第２の計器用の意匠面５３０は、第１の計器用の意匠面５２０によって提供される金属調の質感を更に向上させるために、基板５１０の表面に形成される。
【００１５】
第２の計器用の意匠面５３０は、線状に隆起した画素５３１が微少間隔で並ぶことで、ヘアライン模様を形成して、第１の計器用の意匠面５２０によって提供される金属調の質感を向上させる。
【００１６】
第２の計器用の意匠面５３０を構成する線状の画素５３１は、複数のインク層５３１ａ，５３１ｂ，５３１ｃの積層によって、立体構造になっている。
【００１７】
また、画素５３１を構成している複数のインク層５３１ａ，５３１ｂ，５３１ｃは、紫外線硬化型インクのインク滴を紫外線硬化型インクジェットプリンタの印刷ヘッドで基板５１０に着弾させるインク塗布工程と、基板５１０に着弾したインク滴が自重で平坦化する前にインク滴に紫外線を照射して硬化したインク層とするインク硬化工程と、を同一箇所で繰り返すことで形成される。
【先行技術文献】
【特許文献】
【００１８】
【特許文献１】特開２００９−１８０５７２号公報
【特許文献２】特開２００７−２４９０２８号公報
【発明の概要】
【発明が解決しようとする課題】
【００１９】
ところで、計器用文字板において基板に印刷される意匠面は、文字板の見映えを向上させることが重要である。
【００２０】
しかし、特許文献１に記載の計器用文字板４００の意匠面４２０は、スクリーン印刷により形成されたベタ塗りの印刷層で、図２１に符号Ｓ１，Ｓ２で示すように、視角を換えても、目に入るのは、最上層の着色インク層４２２の色（黒色又は黒色系の着色）の平坦な着色面で、見映えは変わらない。そのため、装飾性が低いという問題があった。
【００２１】
一方、特許文献２に記載の計器用文字板５００の第２の計器用の意匠面５３０は、基板５１０の表面に線状の凹凸によるヘアライン模様を形成するもので、第１の計器用の意匠面５２０の彩色に、金属調の質感を付与して、装飾性を向上させることができる。
【００２２】
しかし、計器用文字板としては、更に装飾性の高いものが望まれている。
【００２３】
そこで、本発明の目的は、上記課題を解消することに係り、視る角度によって彩色が変化して見映えが変わり、装飾性の高い外観を提供することのできる計器用文字板を提供することにある。
【課題を解決するための手段】
【００２４】
本発明の前述した目的は、下記の構成により達成される。
（１）  基板と、該基板の上に印刷された計器用の意匠面と、を備え、
前記意匠面を形成するドット状の画素が複数のインク層を積層した多層構造であり、
前記各画素の前記複数のインク層は、紫外線硬化型インクのインク滴を紫外線硬化型インクジェットプリンタの印刷ヘッドで前記基板に着弾させるインク塗布工程と、前記基板に着弾した前記インク滴が自重で平坦化する前に前記インク滴に紫外線を照射して硬化したインク層とするインク硬化工程と、を同一箇所で繰り返すことで形成される計器用文字板であって、
前記基板は、不透明な材料で形成された板材であり、
前記各画素の前記複数のインク層は、それぞれ発色の異なる層で形成され、
前記各画素の最下層の前記インク層は、白色の発色を示すインク層であり、
前記各画素の中間層の前記インク層は、白色及び黒色以外の発色を示す着色インク層であり、
前記各画素の最上層の前記インク層は、黒色又は黒色系の発色を示す着色インク層であることを特徴とする計器用文字板。
【００２５】
（２）  前記画素に隣接して配置される副画素を更に備え、
前記副画素は、最下層及び中間層の前記インク層が透明なインク層であり、最上層の前記インク層が前記画素の最上層の前記インク層と同色の発色を示す着色インク層である、ことを特徴とする上記（１）に記載の計器用文字板。
【００２６】
（３）  基板と、該基板の上に印刷された計器用の意匠面と、を備え、
前記意匠面を形成するドット状の画素が複数のインク層を積層した多層構造であり、
前記各画素の前記複数のインク層は、紫外線硬化型インクのインク滴を紫外線硬化型インクジェットプリンタの印刷ヘッドで前記基板に着弾させるインク塗布工程と、前記基板に着弾した前記インク滴が自重で平坦化する前に前記インク滴に紫外線を照射して硬化したインク層とするインク硬化工程と、を同一箇所で繰り返すことで形成される計器用文字板であって、
前記基板は、光を透過する材料で形成された板材であり、
前記各画素の前記複数のインク層は、それぞれ発色の異なる層で形成され、
前記各画素の最下層の前記インク層は、透明なインク層であり、
前記各画素の最上層の前記インク層は、黒色又は黒色系の発色を示す着色インク層であり、
前記各画素の中間層の前記インク層は、最上層の前記インク層とは異なる発色を示す着色インク層であり、
前記基板の裏面には、前記各画素の裏面に照明光を照射する光源が配置されている
ことを特徴とする計器用文字板。
【００２７】
（４）  前記画素に隣接して配置される副画素を更に備え、
前記副画素は、最上層の前記インク層が前記画素の最上層の前記インク層と同色の発色を示す着色インク層であり、最上層以外の前記インク層が透明なインク層である、ことを特徴とする上記（３）に記載の計器用文字板。
【００２８】
上記（１）〜（４）の構成によれば、基板の上の計器用の意匠面を構成する画素は、発色の異なる複数のインク層の積層構造に形成されていて、正面から視たときの画素の発色は、各画素の最上層のインク層の発色であるが、意匠面を正面からずれた位置から視ると、各画素に積層している各インク層の発色が視認できる。
【００２９】
即ち、視る角度によって彩色が変化して見映えが変わり、装飾性の高い外観を提供することができる。
【発明の効果】
【００３０】
本発明による計器用文字板によれば、視る角度によって彩色が変化して見映えが変わり、装飾性の高い外観を提供することのできる計器用文字板を提供することができる。
【００３１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３２】
【図１】図１は本発明に係る計器用文字板の第１実施形態の正面図である。
【図２】図２は図１のＡ−Ａ線に沿う断面図である。
【図３】図３は図２に示した画素の拡大図である。
【図４】図４は図３に示した画素の各インク層を形成工程の説明図である。
【図５】図５は図３に示した画素に対する光の反射状態の説明図である。
【図６】図６は本発明に係る計器用文字板の第１実施形態における画素の構成説明図である。
【図７】図７は本発明に係る計器用文字板の第２実施形態における画素の構成説明図である。
【図８】図８は本発明に係る計器用文字板の第３実施形態の要部の拡大断面図である。
【図９】図９は図８に示した画素の拡大図である。
【図１０】図１０は図９に示した画素における発色の状態の説明図である。
【図１１】図１１は本発明に係る計器用文字板の第３実施形態における画素の構成説明図である。
【図１２】図１２は本発明に係る計器用文字板の第４実施形態における画素の構成説明図である。
【図１３】図１３は本発明に係る計器用文字板の第５実施形態における画素の構成説明図である。
【図１４】図１４は第５実施形態のインク層により描いた意匠の、通常時（非照明時）及び夜間照明時の正面図である。
【図１５】図１５は本発明に係る計器用文字板の第６実施形態における画素の構成説明図である。
【図１６】図１６は本発明に係る計器用文字板の第７実施形態における画素の構成説明図である。
【図１７】図１７は本発明に係る計器用文字板の第７実施形態の変形例における画素の構成説明図である。
【図１８】図１８は本発明に係る計器用文字板が使用される車両用メータの正面図である。
【図１９】図１９は図１８のＢ−Ｂ線に沿う断面図である。
【図２０】図２０は図１８に示した計器用文字板に印刷される計器用の意匠面の説明図である。
【図２１】図２１は特許文献１における計器用文字板の縦断面図である。
【図２２】図２２は特許文献２における計器用文字板の縦断面図である。
【図２３】図２３は本発明に係る計器用文字板の第８実施形態における画素の構成説明図である。
【発明を実施するための形態】
【００３３】
以下、本発明に係る計器用文字板の好適な実施形態について、図面を参照して詳細に説明する。
【００３４】
［第１実施形態］
図１〜図６は本発明に係る計器用文字板の第１実施形態を示したもので、図１は第１実施形態の計器用文字板の正面図、図２は図１のＡ−Ａ線に沿う断面図、図３は図２に示した画素の拡大図、図４は図３に示した画素の各インク層を形成工程の説明図、図５は図３に示した画素に対する光の反射状態の説明図である。
【００３５】
図１に示した計器用文字板１は、図１８に示したコンビネーションメータ１００の回転計１３０として使用される。この計器用文字板１は、図１及び図２に示すように、不透明な樹脂で円板状に形成された基板２と、該基板２の上に印刷された計器用の意匠面３と、を備える。計器用文字板１の基板２の中心には、指針軸を挿通する指針挿通穴２１が形成されている。
【００３６】
意匠面３は、基板２の表面の地色を提供する印刷面である。基板２には、意匠面３から照明光を透過させる部分である目盛り４や、数字やアルファベットなどの文字５や、図柄６などが設けられる。
【００３７】
意匠面３は、微細間隔で並ぶ多数のドット単位の画素１０で構成されている。そして、それぞれの画素１０は、図２及び図３に示すように、基板２の上に積層された第１のインク層１１と、この第１のインク層１１の上に積層された第２のインク層１２と、を備えた２層構造（多層構造）に形成されている。
【００３８】
第１のインク層１１は、白色及び黒色以外の色（有彩色）で第２のインク層１２とは異なる発色を示す紫外線硬化型インクによって形成した着色インク層である。また、第２のインク層１２は、計器用文字板１の表面の基調色となる黒色の紫外線硬化型インクで形成した黒色の着色インク層である。
【００３９】
各画素１０の複数のインク層１１，１２は、図４（ａ）〜図４（ｆ）で示す手順で形成される。
【００４０】
第１のインク層１１は、図４（ａ）に示すインク塗布工程と、図４（ｂ）に示すヘッド移動工程と、図４（ｃ）に示すインク硬化工程と、を実施することで、形成される。
また、第２のインク層１２は、図４（ｄ）に示すインク塗布工程と、図４（ｅ）に示すヘッド移動工程と、図４（ｆ）に示すインク硬化工程と、を実施することで、形成される。
【００４１】
図４（ａ）に示したインク塗布工程は、紫外線硬化型インクの微細なインク滴１１ａを紫外線硬化型インクジェットプリンタの印刷ヘッド２２のインク噴射ノズル２２ａによって基板２に着弾させる工程である。
【００４２】
図４（ｂ）に示したヘッド移動工程は、基板２に着弾したインク滴１１ｂを硬化させるために、インク滴１１ｂの直上に印刷ヘッド２２の紫外線照射部２２ｂを移動させる工程である。
【００４３】
図４（ｃ）に示したインク硬化工程は、基板２に着弾したインク滴１１ｂが自重で平坦化する前にそのインク滴１１ｂに紫外線２４を照射して、硬化したインク層１１とする工程である。
【００４４】
図４（ｄ）に示したインク塗布工程は、紫外線硬化型インクの微細なインク滴１２ａを紫外線硬化型インクジェットプリンタの印刷ヘッド２２のインク噴射ノズル２２ａによって基板２の第１のインク層１１の上に着弾させる工程である。
【００４５】
図４（ｅ）に示したヘッド移動工程は、基板２に着弾したインク滴１２ｂを硬化させるために、インク滴１２ｂの直上に印刷ヘッド２２の紫外線照射部２２ｂを移動させる工程である。
【００４６】
図４（ｆ）に示したインク硬化工程は、基板２に着弾したインク滴１２ｂが自重で平坦化する前にそのインク滴１２ｂに紫外線２４を照射して、硬化したインク層１２とする工程である。
【００４７】
即ち、画素１０の複数のインク層１１，１２は、紫外線硬化型インクのインク滴を紫外線硬化型インクジェットプリンタの印刷ヘッド２２で基板２に着弾させるインク塗布工程と、基板２に着弾したインク滴が自重で平坦化する前にインク滴に紫外線を照射して硬化したインク層とするインク硬化工程と、を同一箇所で繰り返すことで形成される。
【００４８】
画素１０を構成するインク層１１，１２は、インクジェットプリンタの印刷位置精度が高いことを利用して、発色の異なる微細なインク滴１１ａ，１２ａを、ドット単位で同一ポイントＰ１（図３参照）に重ねるものである。このように形成すると、積層状態に形成された第１のインク層１１と第２のインク層１２とは、図３に示すように、それぞれの縁が基板２に垂直な垂線Ｖ２上に揃った状態に形成することができる。
【００４９】
画素１０では、図５に示すように、画素１０の頂部や側面で光が反射され、意匠面３を正面からずれた位置から視ると、各画素１０の積層している各インク層１１，１２の発色を視認することができる。
【００５０】
図６は、本発明に係る計器用文字板の第１実施形態における画素の構成説明図である。
この第１実施形態の画素１０Ａは、図２，図３又は図５の画素１０を不透明な樹脂で円板状に形成された基板２上に積層される４層のインク層１３，１１，１２，１２により形成したものである。画素１０Ａを構成する各インク層１３，１１，１２，１２は、図２の画素１０の場合と同様に、紫外線硬化型インクのインク滴を紫外線硬化型インクジェットプリンタの印刷ヘッド２２で基板２に着弾させるインク塗布工程と、基板２に着弾したインク滴が自重で平坦化する前にインク滴に紫外線を照射して硬化したインク層とするインク硬化工程と、を同一箇所で繰り返すことで形成される。
【００５１】
この第１実施形態における画素１０Ａにおいて、最下層のインク層１３が白色の発色を示すインク層である。また、中間層のインク層として最下層のインク層１３の上に積層されるインク層１１は、白色及び黒色以外の色（有彩色）で最下層のインク層１３や最上層のインク層１２とは異なる発色を示す着色インク層である。また、本実施形態では、最上層を含む上位の２層のインク層１２，１２は、いずれも、計器用文字板１の表面の基調色となる黒色の着色インク層である。
【００５２】
上位に黒色のインク層１２を重ねて装備したのは、インク層の厚みが薄いために下層のインク層の発色が透けて見えることを防止するためである。
【００５３】
この第１実施形態の計器用文字板では、基板２の上の計器用の意匠面３を構成する画素１０は、発色の異なる複数のインク層１１，１２の積層構造に形成されていて、図２に矢印Ｓ３で示すように正面から視たときの画素１０の発色は、各画素１０の最上層のインク層１２の発色である黒色であるが、図２に矢印Ｓ４で示すように意匠面３を正面からずれた位置から視ると、各画素１０に積層している各インク層１１，１２の発色が視認できる。
【００５４】
即ち、第１実施形態の計器用文字板１では、視る角度によって彩色が変化して見映えが変わり、装飾性の高い外観を提供することができる。
さらに、各画素１０の最下層のインク層１３が白色の発色を示すインク層であり、下地色となる白色のインク層１３の上に有彩色の着色インク層１１が重なるため、有彩色の着色インク層１１の発色が明確になって、発色をより鮮やかに際立たせることができ、計器用文字板１の見映えを更に向上させることができる。
【００５５】
［第２実施形態］
図７は、本発明に係る計器用文字板の第２実施形態における画素の構成説明図である。
この第２実施形態の場合、基板２は、第１実施形態と同様に、不透明な材料で形成された板材である。
【００５６】
そして、基板２上の意匠面３は、主画素１０Ｂと、この主画素１０Ｂに隣接して配置される副画素１０Ｃを備えている。
【００５７】
主画素１０Ｂは、３層にインク層が積層された多層構造で、最下層のインク層が白色の発色を示すインク層１３であり、且つ、中間層のインク層が有彩色の発色を示す有彩色の着色インク層１４であり、且つ、最上層のインク層が黒色又は黒色系の発色を示す着色インク層１２である。
【００５８】
副画素１０Ｃは、３層にインク層が積層された多層構造であるが、最下層と中間層のインク層がいずれも透明なインク層１５である。そして、副画素１０Ｃの最上層のインク層は、主画素１０の最上層のインク層と同色（黒色）の発色を示す着色インク層１２である。
【００５９】
主画素１０Ｂや副画素１０Ｃの各インク層は、第１実施形態の画素１０の場合と同様に、紫外線硬化型インクのインク滴を紫外線硬化型インクジェットプリンタの印刷ヘッド２２で基板２に着弾させるインク塗布工程と、基板２に着弾したインク滴が自重で平坦化する前にインク滴に紫外線を照射して硬化したインク層とするインク硬化工程と、を同一箇所で繰り返すことで形成される。
【００６０】
この第２実施形態の計器用文字板では、主画素１０Ｂ及び副画素１０Ｃの最上層のインク層が黒色の着色インク層１２であることから、図７に矢印Ｓ６で示すように意匠面３を正面から視たときには、黒色に見える。しかし、主画素１０Ｂは、最下層のインク層が白色の発色を示す着色インク層１３であることから、図７に矢印Ｓ５で示すように意匠面３を正面からずれた位置から視たときには、最下層の上に積層された中間の有彩色の着色インク層１４の発色が明確になって目に入る。また、主画素１０Ｂに隣接して形成される副画素１０Ｃは、主画素１０Ｂの着色インク層１４に並ぶ最下層及び中間層のインク層が透明なインク層１５であり、主画素１０Ｂの着色インク層の発色が副画素１０Ｃの透明なインク層１５を透過して間接的に見えることになる。そのため、透明なインク層１５を透過する際の光の屈折と散乱によって、主画素１０Ｂの有彩色の着色インク層１４の見映えが変わり、計器用文字板に、より装飾性の高い外観を提供することができる。透明なインク層１５を入れることにより、色が見える視線の鉛直方向からの角度を図２のＳ４（α）より図７のＳ５（β）に広げることができる。つまり、透明なインク層１５を入れることで色が見える視線角度を調整できる。
【００６１】
［第３実施形態］
図８〜図１１は本発明に係る計器用文字板の第３実施形態を示したもので、図８は本発明の第３実施形態の計器用文字板の要部の拡大断面図、図９は図８に示した画素の拡大図、図１０は図９に示した画素における発色の状態の説明図である。
【００６２】
この第３実施形態の計器用文字板は、透明な樹脂で円板状に形成された基板２Ｄと、基板２Ｄの上に印刷された計器用の意匠面３Ｄと、基板２Ｄの裏面に配置された光源７と、を備えている。
【００６３】
意匠面３Ｄは、微細間隔で並ぶ多数のドット単位の画素１０Ｄで構成されている。
それぞれの画素１０Ｄは、図９及び図１０に示すように、基板２Ｄの上に積層された第１のインク層１５と、この第１のインク層１５の上に積層された第２のインク層１２と、を備えた２層構造（多層構造）に形成されている。画素１０Ｄにおいて最下層のインク層である第１のインク層１５は、紫外線硬化型の透明インクにより形成する透明なインク層である。また、第２のインク層１２は、計器用文字板１の表面の基調色となる黒色の紫外線硬化型インクで形成した黒色の着色インク層である。
【００６４】
画素１０Ｄを構成するインク層１５，１２は、図２〜図４の画素１０の場合と同様に、紫外線硬化型インクのインク滴を紫外線硬化型インクジェットプリンタの印刷ヘッド２２で基板２Ｄに着弾させるインク塗布工程と、基板２Ｄに着弾したインク滴が自重で平坦化する前にインク滴に紫外線を照射して硬化したインク層とするインク硬化工程と、を同一箇所で繰り返すことで形成される。
【００６５】
基板２Ｄの裏に配置された光源７は、透明な基板２Ｄを介して、各画素１０Ｄの裏面に照明光８を照射する。
【００６６】
以上に説明した図８〜図１０の計器用文字板では、意匠面３Ｄを印刷する基板２Ｄが透明な板材で、しかも意匠面３Ｄを構成する画素１０Ｄの最下層のインク層が透明なインク層１５である。そのため、図１０に示すように、基板２Ｄ裏の光源７が出射する照明光８が基板２Ｄと画素１０Ｄの最下層の透明なインク層１５を透過して外部に出射されるようになる。したがって、図８に矢印Ｓ７で示すように、意匠面３Ｄを正面から見たときには、各画素１０Ｄの最上層のインク層１２の黒色に見える。しかし、図８に矢印Ｓ８で示すように、意匠面３Ｄを正面からずれた位置から視たときには、透明なインク層１５を透過する照明光８によって、意匠面３Ｄを形成している画素１０Ｄの最下層のインク層１５が発光することで、照明光によるインク層１５の発光が目に映るようになり、見映えを変化させることができる。
【００６７】
図１１の画素１０Ｅは、図８〜図１０の画素１０Ｄを透明な樹脂で円板状に形成された基板２Ｄ上に積層される３層のインク層１５，１４，１２，により形成したものである。
【００６８】
最下層のインク層１５は、紫外線硬化型の透明インクにより形成する透明なインク層である。また、最下層のインク層１５の上に積層される中間層のインク層１４は、有彩色の発色を示す紫外線硬化型インクにより形成した有彩色の着色インク層である。最上層のインク層１２は、計器用文字板１の表面の基調色となる黒色の紫外線硬化型インクで形成した黒色の着色インク層である。
【００６９】
即ち、図１１の画素１０Ｅは、中間層に、最上層のインク層とは異なる発色を示す着色インク層を備えている。
【００７０】
図１１の場合も、画素１０Ｅを構成する各インク層は、紫外線硬化型インクのインク滴を紫外線硬化型インクジェットプリンタの印刷ヘッド２２で基板２Ｄに着弾させるインク塗布工程と、基板２Ｄに着弾したインク滴が自重で平坦化する前にインク滴に紫外線を照射して硬化したインク層とするインク硬化工程と、を同一箇所で繰り返すことで形成される。
【００７１】
図１１の構成の計器用文字板では、意匠面を構成する画素１０Ｅの中間層である有彩色の着色インク層１４には、基板２Ｄ及び画素１０Ｅの最下層の透明なインク層１５を透過した照明光が照射される。そのため、意匠面３Ｄを矢印Ｓ９で示すように正面からずれた位置から視るときには、照明光で照射された有彩色の着色インク層１４の鮮やかな発色が目に入ることになり、視る角度によって彩色が変化して見映えが変わり、更に装飾性の高い外観を提供することができる。
【００７２】
［第４実施形態］
図１２は、本発明に係る計器用文字板の第４実施形態における画素の構成説明図である。
【００７３】
この第４実施形態の計器用文字板は、基板２Ｄと、該基板２Ｄの裏面に配置された光源７と、基板２Ｄの表面に形成された意匠面３Ｆと、を備えている。
【００７４】
基板２Ｄは、光を透過する材料で形成された板材である。
意匠面３Ｆは、主画素１０Ｆと、この主画素１０Ｆに隣接して配置される副画素１０Ｇを備えている。
【００７５】
主画素１０Ｆは、インク層が３層に積層された立体構造で、最下層のインク層が透明なインク層１５で、且つ、中間層が最上層のインク層とは異なる発色を示す着色インク層１４であり、最上層のインク層が黒色のインク層１２である。
【００７６】
また、副画素１０Ｇは、インク層が３層に積層された立体構造であるが、最上層のインク層が黒色の発色を示すインク層１２で、最上層以外の二つのインク層が透明なインク層１５である。
【００７７】
この第４実施形態の主画素１０Ｆ及び副画素１０Ｇの各インク層は、紫外線硬化型インクのインク滴を紫外線硬化型インクジェットプリンタの印刷ヘッド２２で基板２Ｄに着弾させるインク塗布工程と、基板２Ｄに着弾したインク滴が自重で平坦化する前にインク滴に紫外線を照射して硬化したインク層とするインク硬化工程と、を同一箇所で繰り返すことで形成される。
【００７８】
この第４実施形態の計器用文字板では、主画素１０Ｆの着色インク層１４が、当該主画素１０Ｆの最下層の透明なインク層１５を透過した照明光の照射を受けて鮮やかに発色すると共に、主画素１０Ｆの着色インク層１４の発色は、主画素１０Ｆに隣接する副画素１０Ｇの透明なインク層１５を介して外部に映写される。そのため、図１２に矢印Ｓ１０で示すように、意匠面３Ｆをその正面から見たときには、主画素１０Ｆ及び副画素１０Ｇの最上層のインク層１２の発色である黒色に見える。しかし、図１２に矢印Ｓ１１で示すように、意匠面３Ｆをその正面からずれた位置から見たときには、透明なインク層１５を介して、照明光を受けた主画素１０Ｆの着色インク層１４の発色が目に映る。そのため計器用文字板としては、より装飾性の高い外観を提供することができる。透明なインク層１５を入れることにより、色が見える視線の鉛直方向からの角度を図１１のＳ９(γ)より図１２のＳ１１（δ）に広げることができる。つまり、透明なインク層１５を入れることで色が見える視線角度を調整できる。
【００７９】
［第５実施形態］
図１３は、本発明に係る計器用文字板の第５実施形態における画素の構成説明図である。
【００８０】
この第５実施形態の計器用文字板は、基板２Ｄと、該基板２Ｄの裏面に配置された光源７と、基板２Ｄの表面に形成された意匠面３Ｇと、を備えている。意匠面３Ｇは、基板２の表面の地色を提供する印刷面である。
【００８１】
基板２Ｄは、光を透過する材料で形成された板材である。
意匠面３Ｇは、主画素１０Ｈと、この主画素１０Ｈに隣接して配置される副画素１０Ｉを備えている。
【００８２】
主画素１０Ｈは、インク層が３層に積層された立体構造で、最下層及び中間層が有彩色の発色を示す着色インク層１４であり、最上層のインク層が黒色のインク層１２である。
【００８３】
また、副画素１０Ｉは、最下層のインク層が透明なインク層１５で、且つ、中間層が有彩色の発色を示す着色インク層１４であり、最上層のインク層が黒色のインク層１２である。透明なインク層１５は意匠形状に沿って設けられている。
【００８４】
この第５実施形態の主画素１０Ｈ及び副画素１０Ｉの各インク層は、紫外線硬化型インクのインク滴を紫外線硬化型インクジェットプリンタの印刷ヘッド２２で基板２Ｄに着弾させるインク塗布工程と、基板２Ｄに着弾したインク滴が自重で平坦化する前にインク滴に紫外線を照射して硬化したインク層とするインク硬化工程と、を同一箇所で繰り返すことで形成される。
【００８５】
この第５実施形態の計器用文字板では、副画素１０Ｉの有彩色の着色インク層１４が、当該副画素１０Ｉの最下層の透明なインク層１５を透過した照明光の照射を受けて鮮やかに発色すると共に、副画素１０Ｉの有彩色の着色インク層１４の発色は、副画素１０Ｉの透明なインク層１５を介して外部に映写される。そのため、図１３に矢印Ｓ１２で示すように、意匠面３Ｇをその正面から見たときには、主画素１０Ｈ及び副画素１０Ｉの最上層のインク層１２の発色である黒色に見える。しかし、図１３に矢印Ｓ１３で示すように、意匠面３Ｇをその正面からずれた位置から見たときには、透明なインク層１５を介して、照明光を受けた副画素１０Ｉの有彩色の着色インク層１４の発色が目に映る。そのため計器用文字板としては、より装飾性の高い外観を提供することができる。
【００８６】
また、意匠面３Ｇの意匠を、図１４のような形状（数字の３）として第５実施形態のインク層の構造にした場合、夜間照明時に、意匠の輪郭であるインク側面から光が漏れる。夜間照明時に図１３の矢印Ｓ１２ａで示すように意匠を正面から見ると、意匠の輪郭であるインク側面からの漏れ光によって、その意匠の輪郭が強調され、より立体的な見栄えとなる。
【００８７】
また、無灯火時（通常時）である照明光のない場合、正面からは、意匠の表面の黒色のインク層が輪郭を強調されずにそのまま見える。
このように、照明光の有無で、意匠を正面から見たときの見栄えを変化させることができる。
【００８８】
なお、図１４に示す意匠としては模様、ロゴ等が挙げられ、図１４では意匠の一例として数字の３が示されている。
【００８９】
［第６実施形態］
図１５は、本発明に係る計器用文字板の第６実施形態における画素の構成説明図である。
【００９０】
第６実施形態は、第５実施形態の構成を一部変更したものである。第６実施形態が第５実施形態と異なる構成は、基板２Ｄの裏面にも黒色のインク層を設けた点と、白色及び黒色以外の発色を示す着色インク層１４の色の濃度を変更した点である。黒色のインク層１２は意匠形状に沿って、意匠の周囲の部分に対応して設けられている。着色インク層１４の濃度は第５実施形態よりも薄く、図１５では図１３の着色インク層１４よりも高さが低く表されている。
他の構成は、第５実施形態と同じであるので、説明は省略する。
【００９１】
第６実施形態のように、基板の裏面にも黒色のインク層１２を設けたことにより、意匠の周囲への照明を抑えることができ、矢印Ｓ１２ａのように意匠を正面から見た場合に、意匠の輪郭からの漏れ光をより強調させることができる。また、有彩色の着色インク層１４の濃度を変えることによっても見栄えを変えることができる。このように、１つの意匠及び１種類の光源だけで漏れ光の色や濃淡を変化させることができ、より立体的な見栄えが得られる。
【００９２】
なお、矢印Ｓ１２ａのように意匠を正面から見た場合に、漏れ光により意匠の見栄えを変化させるときは、図１５の構成において、主画素１０Ｈの下２層の着色インク層１４の代わりにクリア層とし、副画素１０Ｉの下２層を着色インク層１４としてもよい。
【００９３】
［第７実施形態］
図１６は、本発明に係る計器用文字板の第７実施形態における画素の構成説明図である。
【００９４】
この第７実施形態の計器用文字板は、透明な樹脂で円板状に形成された基板２Ｄと、基板２Ｄの上に印刷された計器用の意匠面３Ｈと、基板２Ｄの裏面に配置された光源７と、を備えている。
【００９５】
それぞれの画素１０Ｊは、図１６に示すように、基板２Ｄの上に積層された第１のインク層１４と、この第１のインク層１４の上に積層された第２のインク層１３と、を備えた２層構造（多層構造）に形成されている。画素１０Ｊにおいて最下層のインク層である第１のインク層１４は、有彩色の発色を示す紫外線硬化型の着色インクにより形成する有彩色の着色インク層である。また、第２のインク層１３は、白色の紫外線硬化型インクで形成した白色の着色インク層である。
【００９６】
画素１０Ｊを構成するインク層１４，１３は、図２〜図４の画素１０の場合と同様に、紫外線硬化型インクのインク滴を紫外線硬化型インクジェットプリンタの印刷ヘッド２２で基板２Ｄに着弾させるインク塗布工程と、基板２Ｄに着弾したインク滴が自重で平坦化する前にインク滴に紫外線を照射して硬化したインク層とするインク硬化工程と、を同一箇所で繰り返すことで形成される。
【００９７】
第７実施形態のように、基板２Ｄの上に、下層として着色インク層１４を設け、上層として白色のインク層１３を設けたことにより、無灯火時である照明光の無いとき、矢印Ｓ１４のように正面から見た場合には白く見える。また、照明時に正面から見た場合には着色インク層１４の色と白色のインク層１３の白色との混合色が見える。したがって、照明の有無で見栄えを変化させることができる。
【００９８】
図１７は第７実施形態の変形例の構成説明図である。
この変形例は、ドット単位で下層の色が異なった構成である。意匠面３Ｉは、下層に黒色のインク層１２と、透明なインク層１５と、有彩色の発色を示す着色インク層１４とを有し、上層に白色のインク層１３を有する。
【００９９】
無灯火時、正面から見た場合にはどのドットも白色に見える。照明時に正面から見た場合には、黒色のインク層１２の黒色と白色のインク層１３の白色との混合色（矢印Ｓ１６で見た場合）、白色のインク層１３の発色（矢印Ｓ１７で見た場合）、及び有彩色の着色インク層１４の色と白色のインク層１３の白色との混合色（矢印Ｓ１８で見た場合）が見える。したがって、照明の有無で多種の色に見栄えを変化させることができる。
【０１００】
また、黒色のインク層１２や透明なインク層１５を設けることにより、絵柄などの見栄えをより大きく変化させることができる。さらに、有彩色の着色インク層１４の色や濃度を変えることにより、グラフィカルな細かいグラデーションなど、より高級感のある見栄えに変化させることができる。
【０１０１】
［第８実施形態］
図２３は、本発明に係る計器用文字板の第８実施形態における画素の構成説明図である。
本実施形態の計器用文字板は、透明な樹脂で円板状に形成された基板２Ｄと、基板２Ｄの上に印刷された計器用の意匠面３Ｊと、基板２Ｄの裏面に配置された図示しない光源と、を備えている。
そして、本実施形態の計器用文字板は、基板２Ｄの裏面に有彩色の着色インク層１４を設けている。また、基板２Ｄの表面には、透明なインク層１５を裏面の着色インク層１４よりも狭い範囲で施している。そして、表面の最上層および裏面の遮光部に黒色のインク層１２を設けている。
透明なインク層１５の範囲が基板２Ｄの裏面の着色インク層１４よりも狭いため、着色インク層１４の透過光のうち外周に近い部分（微細透過部１９）を透過した光は、透明なインク層１５の側面に照射される。したがって、光源を上記各実施形態よりも明るくすることなく、また、インク層を増やすこともなく、立体感や夜間照明時の高級感を演出することができる。
【０１０２】
なお、輝度が若干低下するものの、透明なインク層１５や黒色のインク層１２を有彩色の着色インク層１４と置き換えても、同様の効果を得ることができる。
【０１０３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【０１０４】
例えば、以上に説明した各実施形態では、計器用文字板１の表面の基調色となる画素の最上層のインク層の発色は、重厚感をだすために黒色にしているが、黒色に限るものではなく、黒色に近い黒色系の濃い色であれば、他の色（例えば、濃紺や、濃紫や、濃茶など）の着色インク層とすることもできる。
【０１０５】
また、本発明に係る画素を構成するインク層の積層数は、４層以上の任意数に設定することができ、画素の中間層に発色の異なる複数の着色インク層を備えることで、更に装飾性の高い外観を提供することが可能になる。
【符号の説明】
【０１０６】
１  計器用文字板
２，２Ｄ  基板
３，３Ｆ  意匠面
７  光源
１０，１０Ａ  画素
１０Ｂ、１０Ｆ  主画素
１０Ｃ，１０Ｇ  副画素
１１，１２，１３，１４，１５  インク層
【図１】
2015127696.tif 000003
【図２】
2015127696.tif 000004
【図３】
2015127696.tif 000005
【図４】
2015127696.tif 000006
【図５】
2015127696.tif 000007
【図６】
2015127696.tif 000008
【図７】
2015127696.tif 000009
【図８】
2015127696.tif 000010
【図９】
2015127696.tif 000011
【図１０】
2015127696.tif 000012
【図１１】
2015127696.tif 000013
【図１２】
2015127696.tif 000014
【図１３】
2015127696.tif 000015
【図１４】
2015127696.tif 000016
【図１５】
2015127696.tif 000017
【図１６】
2015127696.tif 000018
【図１７】
2015127696.tif 000019
【図１８】
2015127696.tif 000020
【図１９】
2015127696.tif 000021
【図２０】
2015127696.tif 000022
【図２１】
2015127696.tif 000023
【図２２】
2015127696.tif 000024
【図２３】
2015127696.tif 000025